(57)【要約】      （修正有）【課題】デスク机等のフレキシブルなレイアウト変更が可能で、天井照明から外れた位置でのデスクワークに必要な照度を確保し、安全で目に優しい光で照明できる机上照明装置を提供する。【解決手段】デスク本体１に立設した支持フレーム体２１と、支持フレーム体２１の上端部に横設した上部フレーム体２２と、上部フレーム体２２の下方で支持フレーム体２１に横設した中間フレーム体２３とを備え、机上面を照明するタスク照明部３を中間フレーム体２３に設置し、天井を照明するアンビエント照明部４を上部フレーム体２２に設置する。タスク照明部３の光源は、左右方向に延設された有機ＥＬ照明板から拡散照射する面状拡散光源体とし、アンビエント照明部４の光源は、半透明の円弧状外周面を有し左右方向に延設された筒状体の外周側設置部にＬＥＤチップを均等配置し、ＬＥＤチップの照射光を円弧状外周面から放射状に拡散照射する筒状拡散光源体とする。【選択図】図１
2020009681.tif 000002
【特許請求の範囲】
【請求項１】
デスク本体に取り付け可能に立設した左右の支持フレーム体と、前記支持フレーム体の上端部に横設した上部フレーム体と、前記上部フレーム体の下方で前記支持フレーム体に横設した中間フレーム体とを備え、前記デスク本体の机上面を直接的に照明するタスク照明部を前記中間フレーム体に設置し、天井等の周辺部を照明するアンビエント照明部を前記上部フレーム体に設置した机上照明装置であって、
前記タスク照明部の光源は、左右方向に延設された板状の有機ＥＬ照明板から拡散照射する面状拡散光源体とし、
前記アンビエント照明部の光源は、半透明に形成された円弧状外周面を有し左右方向に延設された筒状体の外周側設置部に複数のＬＥＤチップを左右方向に均等配置し、前記ＬＥＤチップの照射光を前記円弧状外周面から放射状に拡散照射する筒状拡散光源体としたことを特徴とする机上照明装置。
【請求項２】
請求項１に記載された机上照明装置において、
前記筒状体は、前後に一対有し、それぞれ拡散光を照射する円弧状外周面が互いに近接する方向に前記外周側設置部を傾斜させて左右方向へ並列状に配置したことを特徴とする机上照明装置。
【請求項３】
デスク本体に取り付け可能に立設した左右の支持フレーム体と、前記支持フレーム体の上端部に横設した上部フレーム体と、前記上部フレーム体の下方で前記支持フレーム体に横設した中間フレーム体とを備え、前記デスク本体の机上面を直接的に照明するタスク照明部を前記中間フレーム体に設置し、天井等の周辺部を照明するアンビエント照明部を前記上部フレーム体に設置した机上照明装置であって、
前記タスク照明部の光源は、左右方向に延設された板状の有機ＥＬ照明板から拡散照射する面状拡散光源体とし、
前記アンビエント照明部の光源は、左右方向に延設又は複数個配設された板状の有機ＥＬ照明板から拡散照射する面状拡散光源体としたことを特徴とする机上照明装置。
【請求項４】
請求項１乃至請求項３のいずれか１項に記載された机上照明装置において、
前記タスク照明部には、前記有機ＥＬ照明板を収容する矩形状の枠体を備え、
前記中間フレーム体には、前記支持フレーム体に左右方向に横設された主フレーム体と、前記主フレーム体の前後方向に延設された複数の補助フレーム体とを備え、
前記タスク照明部の枠体は、前記補助フレーム体の前端部同士の間及び後端部同士の間にそれぞれ上下方向に回転でき、回転した位置で静止可能に形成された回転ヒンジ部を介して連結されたことを特徴とする机上照明装置。
【請求項５】
請求項１乃至請求項４のいずれか１項に記載された机上照明装置において、
前記支持フレーム体は、前記デスク本体に取り付ける取付板から前記中間フレーム体との連結部まで延設された下支持フレーム体と、前記中間フレーム体との連結部から前記上部フレーム体との連結部まで延設された上支持フレーム体とに分割され、それぞれの連結部で互いに分離可能に締結されていることを特徴とする机上照明装置。
【請求項６】
請求項１乃至請求項５のいずれか１項に記載された机上照明装置において、
前記タスク照明部のスイッチは、各タスク照明部毎に設け、前記アンビエント照明部のスイッチは、既設の天井照明のスイッチ近傍に一括して設けたことを特徴とする机上照明装置。
【請求項７】
請求項１乃至請求項６のいずれか１項に記載された机上照明装置において、
前記支持フレーム体と前記中間フレーム体とは、それぞれ同一断面の角パイプで形成され、各外表面が暗色系の艶消し塗装されていることを特徴とする机上照明装置。
【発明の詳細な説明】
【技術分野】
【０００１】
本発明は、机上照明装置に関し、詳しくは、デスク机等の机上面を直接的に照明するタスク照明部と当該タスク照明部の上方に位置して天井等の周辺部を照明するアンビエント照明部とを備えた机上照明装置に関する。
【背景技術】
【０００２】
近年、オフィスにおけるフリーな作業環境等を実現するため、デスク机等のフレキシブルなレイアウト変更が可能であって、既設の天井照明から外れた位置でのデスクワークに対しても必要な照度を確保できるように、机上を直接的に照明するタスク照明部と当該タスク照明部の上方に位置して天井等の周辺部を照明するアンビエント照明部とを備えた机上照明装置が注目されている。一方、オフィス照明においても、省エネルギーの観点から消費電力の少ない発光ダイオード（ＬＥＤ：light emitting diode）を利用した照明装置が普及しつつある。そのため、発光ダイオード（ＬＥＤ）を用いた照明ユニットを利用して、タスク照明部とアンビエント照明部とを構成した机上照明装置に関する発明が、例えば、特許文献１に開示されている。
【０００３】
すなわち、特許文献１に開示された机上照明装置１００は、図１７に示すように、デスク本体１０１に門型の机上構造体１０２を取り付け可能とし、机上構造体１０２における左右の支持柱１０２ａ、１０２ｂの上端に横設する上部フレーム１０２ｃと、上部フレーム１０２ｃの下方に横設する中間フレーム１０２ｄとを備え、タスク照明部１０３を中間フレーム１０２ｄに配置し、アンビエント照明部１０５を上部フレーム１０２ｃに配置している。
【０００４】
また、図１７、図１８に示すように、中間フレーム１０２ｄには、タスク照明部１０３として、机上面１０１ａのワークラインＷＬに沿って間欠的に又は連続的に点光源であるＬＥＤチップ１０３ａを複数個マウントした基板１０３ｂを配置し、平板状のスモーク板１０４で覆って机上面１０１ａを照明するように構成した。また、図１７、図１９に示すように、上部フレーム１０２ｃには、上壁に凹部１０２ｃｃを設け、この凹部１０２ｃｃ内に、アンビエント照明部１０５として、タスク照明部１０３と同様にＬＥＤチップ１０５ａを複数個マウントした基板１０５ｂを配置し、平板状のスモーク板１０６で覆って天井方向を照らすように構成した。
【先行技術文献】
【特許文献】
【０００５】
【特許文献１】特開２０１０−１７４８８号公報
【発明の概要】
【発明が解決しようとする課題】
【０００６】
しかしながら、上記机上照明装置１００は、タスク照明部１０３及びアンビエント照明部１０５として、点光源であるＬＥＤチップ１０３ａ、１０５ａを複数個マウントした基板１０３ｂ、１０５ｂを配置し、平板状のスモーク板１０４、１０６で覆って照明するように構成したので、以下のような問題があった。
すなわち、点光源であるＬＥＤチップ１０３ａ、１０５ａから照射される光線は、直進性が高く、平板状のスモーク板１０４、１０６で覆っても光を周辺部に略均一に拡散させることができない。そのため、デスクワークに必要な照度を確保できるが、照明にムラや影が生じやすく、目の疲労感を増長させやすいという問題があった。
また、タスク照明部１０３のＬＥＤチップ１０３ａから出るブルーライトやＵＶ（紫外線）が、直接的又は間接的に目に入り、角膜や水晶体を透過して網膜を傷付ける恐れがあるという問題もあった。
【０００７】
本発明は、上記問題を解決するためになされたものであり、デスク机等のフレキシブルなレイアウト変更が可能であって、既設の天井照明から外れた位置でのデスクワークに対しても必要な照度を確保しつつ、安全で目に優しい光で照明できる机上照明装置を提供することを目的とする。
【課題を解決するための手段】
【０００８】
上記目的を達成するために、本発明に係る机上照明装置は、次のような構成を有している。
（１）デスク本体に取り付け可能に立設した左右の支持フレーム体と、前記支持フレーム体の上端部に横設した上部フレーム体と、前記上部フレーム体の下方で前記支持フレーム体に横設した中間フレーム体とを備え、前記デスク本体の机上面を直接的に照明するタスク照明部を前記中間フレーム体に設置し、天井等の周辺部を照明するアンビエント照明部を前記上部フレーム体に設置した机上照明装置であって、
前記タスク照明部の光源は、左右方向に延設された板状の有機ＥＬ照明板から拡散照射する面状拡散光源体とし、
前記アンビエント照明部の光源は、半透明に形成された円弧状外周面を有し左右方向に延設された筒状体の外周側設置部に複数のＬＥＤチップを左右方向に均等配置し、前記ＬＥＤチップの照射光を前記円弧状外周面から放射状に拡散照射する筒状拡散光源体としたことを特徴とする。
【０００９】
本発明においては、タスク照明部の光源は、左右方向に延設された板状の有機ＥＬ照明板から拡散照射する面状拡散光源体とし、アンビエント照明部の光源は、半透明に形成された円弧状外周面を有し左右方向に延設された筒状体の外周側設置部に複数のＬＥＤチップを左右方向に均等配置し、ＬＥＤチップの照射光を円弧状外周面から放射状に拡散照射する筒状拡散光源体としたので、タスク照明部とアンビエント照明部のいずれにおいても、照明にムラや影が生じにくく、まぶしさ等のストレスを感じにくい。また、タスク照明部の光源は、有機ＥＬ（Electro Luminescence）照明板から拡散照射する面状拡散光源体としたので、ブルーライトやＵＶ（紫外線）が少なく、目に対する安全性が高い。そのため、安全で目に優しく、長時間のデスクワークにおいても目の疲労感を感じにくい効果を奏する。
【００１０】
また、アンビエント照明部の光源は、半透明に形成された円弧状外周面を有し左右方向に延設された筒状体の外周側設置部に複数のＬＥＤチップを左右方向に均等配置し、ＬＥＤチップの照射光を円弧状外周面から放射状に拡散照射する筒状拡散光源体としたので、円弧状外周面から上方に拡散照射する拡散光が、上部フレーム体の上方における天井面をより多く照射し、その反射光を有効に活用できる。そのため、天井照明から外れた位置でのデスクワークに対して必要な照度を確保する上で、より一層貢献できる。
【００１１】
よって、本発明によれば、デスク机等のフレキシブルなレイアウト変更が可能であって、既設の天井照明から外れた位置でのデスクワークに対しても必要な照度を確保しつつ、安全で目に優しい光で照明できる机上照明装置を提供することができる。
【００１２】
（２）（１）に記載された机上照明装置において、
前記筒状体は、前後に一対有し、それぞれ拡散光を照射する円弧状外周面が互いに近接する方向に前記外周側設置部を傾斜させて左右方向へ並列状に配置したことを特徴とする。
【００１３】
本発明においては、筒状体は、前後に一対有し、それぞれ拡散光を照射する円弧状外周面が互いに近接する方向に外周側設置部を傾斜させて左右方向へ並列状に配置したので、各円弧状外周面から放射状に照射される拡散光は上部フレーム体から上方へ向けて部分的に交差しつつ異なる方向へ照射される。そのため、上部フレーム体の上方に位置する天井面を、異なる方向から照射される拡散光によって周囲より明るくかつ略均一に照明できる。また、異なる方向から照射される天井面には、照明のムラや影が生じにくい。その結果、周囲より明るく照射される天井面からのムラや影のない目に優しい反射光によって、デスクワークに対して必要な照度を確保でき、デスク本体のレイアウト変更における自由度を高めることできる。また、目に優しい反射光によって、デスクワークに対して必要な照度を確保できるので、長時間のデスクワークにおいても目の疲労感をより一層感じにくい効果を奏する。
【００１４】
（３）デスク本体に取り付け可能に立設した左右の支持フレーム体と、前記支持フレーム体の上端部に横設した上部フレーム体と、前記上部フレーム体の下方で前記支持フレーム体に横設した中間フレーム体とを備え、前記デスク本体の机上面を直接的に照明するタスク照明部を前記中間フレーム体に設置し、天井等の周辺部を照明するアンビエント照明部を前記上部フレーム体に設置した机上照明装置であって、
前記タスク照明部の光源は、左右方向に延設された板状の有機ＥＬ照明板から拡散照射する面状拡散光源体とし、
前記アンビエント照明部の光源は、左右方向に延設又は複数個配設された板状の有機ＥＬ照明板から拡散照射する面状拡散光源体としたことを特徴とする。
【００１５】
本発明においては、タスク照明部の光源は、左右方向に延設された板状の有機ＥＬ照明板から拡散照射する面状拡散光源体とし、アンビエント照明部の光源は、左右方向に延設又は複数個配設された板状の有機ＥＬ照明板から拡散照射する面状拡散光源体としたので、タスク照明部とアンビエント照明部のいずれにおいても、照明にムラや影が生じにくく、まぶしさ等のストレスを感じにくい。また、タスク照明部及びアンビエント照明部の光源は、有機ＥＬ照明板から拡散照射する面状拡散光源体としたので、ブルーライトやＵＶ（紫外線）が少なく、目に対する安全性が高い。そのため、安全で目に優しく、長時間のデスクワークにおいても目の疲労感を感じにくい効果を奏する。
【００１６】
また、アンビエント照明部の光源は、左右方向に延設又は複数個配設された板状の有機ＥＬ照明板から拡散照射する面状拡散光源体としたので、直進性の高いＬＥＤ照射光と違って、柔らかい自然光に近い拡散光として上部フレーム体の上方の天井面を周囲より明るくかつ略均一に照明することができる。その結果、上部フレーム体の上方に位置する天井面からの略均一で明るく柔らかい反射光によって、デスクワークに対して必要な照度を確保でき、デスク本体のレイアウト変更における自由度を高めることできる。また、近年、有機ＥＬ照明の発光効率（Ｌｍ／Ｗ）は、ＬＥＤ照明と比較して同程度又はそれ以上の水準に向上しつつある。そのため、既設の天井照明から外れた位置でのデスクワークに対して必要な照度を確保する上で、消費電力の節約に貢献することも可能である。
【００１７】
よって、本発明によれば、デスク机等のフレキシブルなレイアウト変更が可能であって、既設の天井照明から外れた位置でのデスクワークに対しても必要な照度を確保しつつ、安全で目に優しい光で照明できる机上照明装置を提供することができる。
【００１８】
（４）（１）乃至（３）のいずれか１つに記載された机上照明装置において、
前記タスク照明部には、前記有機ＥＬ照明板を収容する矩形状の枠体を備え、
前記中間フレーム体には、前記支持フレーム体に左右方向に横設された主フレーム体と、前記主フレーム体の前後方向に延設された複数の補助フレーム体とを備え、
前記タスク照明部の枠体は、前記補助フレーム体の前端部同士の間及び後端部同士の間にそれぞれ上下方向に回転でき、回転した位置で静止可能に形成された回転ヒンジ部を介して連結されたことを特徴とする。
【００１９】
本発明においては、タスク照明部には、有機ＥＬ照明板を収容する矩形状の枠体を備え、中間フレーム体には、支持フレーム体に左右方向に横設された主フレーム体と、主フレーム体の前後方向に延設された複数の補助フレーム体とを備え、タスク照明部の枠体は、補助フレーム体の先端部同士の間に上下方向に回転でき、回転した位置で静止可能に形成された回転ヒンジ部を介して連結されたので、個人個人のワーク対象の近くで照明でき、各個人の姿勢やワーク対象に適合するようにタスク照明部の照射角度を簡単な操作で変更することができる。そのため、各個人ごとのワーク対象に対して必要な照度を確保しつつ、より一層安全で目に優しい光で照明できる。
【００２０】
（５）（１）乃至（４）のいずれか１つに記載された机上照明装置において、
前記支持フレーム体は、前記デスク本体に取り付ける取付板から前記中間フレーム体との連結部まで延設された下支持フレーム体と、前記中間フレーム体との連結部から前記上部フレーム体との連結部まで延設された上支持フレーム体とに分割され、それぞれの連結部で互いに分離可能に締結されていることを特徴とする。
【００２１】
本発明においては、支持フレーム体は、デスク本体に取り付ける取付板から中間フレーム体との連結部まで延設された下支持フレーム体と、中間フレーム体との連結部から上部フレーム体との連結部まで延設された上支持フレーム体とに分割され、それぞれの連結部で互いに分離可能に締結されているので、上下の支持フレーム体と上部フレーム体と中間フレーム体とを互いに分離して搬送し、現地で組み立てることができ、梱包・搬送の効率化に寄与できる。また、アンビエント照明部から天井面までの距離に応じて上支持フレーム体の長さを変更して、アンビエント照明部の照明効率を最適な状態に調節することができる。この場合、下支持フレーム体の長さは、そのまま維持できるので、タスク照明部の照明に影響を与えない。
【００２２】
（６）（１）乃至（５）のいずれか１つに記載された机上照明装置において、
前記タスク照明部のスイッチは、各タスク照明部毎に設け、前記アンビエント照明部のスイッチは、既設の天井照明のスイッチ近傍に一括して設けたことを特徴とする。
【００２３】
本発明においては、タスク照明部のスイッチは、各タスク照明部毎に設け、アンビエント照明部のスイッチは、既設の天井照明のスイッチ近傍に一括して設けたので、天候や時刻等によってオフィスの照明環境が変化する場合においても、各個人の判断で自己のタスク照明部を点灯又は消灯できる。一方で、一定の周辺領域で安定した明るさを確保する必要があるアンビエント照明部については、その領域で天井照明を含み一括して点灯又は消灯できる。そのため、一定の周辺領域で安定した明るさを確保しつつ、各個人のニーズに沿った照明環境を実現でき、省エネにも貢献できる。また、天井照明を追加する等の天井工事を不要として現場での工期短縮にも貢献できる。
【００２４】
（７）（１）乃至（６）のいずれか１つに記載された机上照明装置において、
前記支持フレーム体と前記中間フレーム体とは、それぞれ同一断面の角パイプで形成され、各外表面が暗色系の艶消し塗装されていることを特徴とする。
【００２５】
本発明においては、支持フレーム体と中間フレーム体とは、それぞれ同一断面の角パイプで形成され、各外表面が暗色系の艶消し塗装されているので、タスク照明部やアンビエント照明部又は既設の天井照明等からの光が各フレーム体の外表面に反射して作業者の目に入るのを有効に回避でき、目の疲労感をより一層低減できる。また、作業者の各フレーム体等に対する違和感を低減して、デスクワークに意識を集中させることができる。
【発明の効果】
【００２６】
本発明によれば、デスク机等のフレキシブルなレイアウト変更が可能であって、天井照明から外れた位置でのデスクワークに対しても必要な照度を確保しつつ、安全で目に優しい光で照明できる机上照明装置を提供することができる。
【図面の簡単な説明】
【００２７】
【図１】本発明の実施形態に係る第１実施例の机上照明装置をデスク本体に設置した全体側面図である。
【図２】図１に示す机上照明装置の正面図である。
【図３】図２に示す机上照明装置の平面図である。
【図４】図２に示す机上照明装置の側面図である。
【図５】図４に示すＡ部詳細図である。
【図６】図３に示すＢ部、Ｃ部の詳細図である。（Ａ）は、Ｂ部に表す回転ヒンジ部の分解図を示し、（Ｂ）は、Ｂ部に表す回転ヒンジ部の組立図を示し、（Ｃ）は、Ｃ部に表す回転ヒンジ部の組立図を示す。
【図７】図３に示す机上照明装置の筒状体の正面図である。
【図８】図７に示す筒状体の側面図である。
【図９】本発明の実施形態に係る第２実施例の机上照明装置の正面図である。
【図１０】図９に示す机上照明装置の平面図である。
【図１１】図９に示す机上照明装置の側面図である。
【図１２】本発明の実施形態に係る第１実施例の机上照明装置と第２実施例の机上照明装置をデスク本体に設置した全体正面図である。
【図１３】本発明の実施形態に係る第３実施例の机上照明装置の正面図である。
【図１４】図１３に示す机上照明装置の平面図である。
【図１５】図１３に示す机上照明装置の側面図である。
【図１６】図１５に示すＤ部詳細図である。
【図１７】特許文献１に開示された机上照明装置の斜視図である。
【図１８】図１７に示す机上照明装置のタスク照明部の分解図である。
【図１９】図１７に示す机上照明装置のアンビエント照明部の分解図である。
【発明を実施するための形態】
【００２８】
次に、本発明の実施形態に係る机上照明装置について、図面を参照して詳細に説明する。はじめに、本実施形態に係る第１実施例の机上照明装置の構造及び動作方法を説明し、その後、第２実施例、第３実施例の机上照明装置について、主に第１実施例との相違点を中心に説明する。
【００２９】
＜本机上照明装置の構造及び動作方法＞
（第１実施例）
まず、本実施形態に係る第１実施例の机上照明装置の構造及び動作方法を、図１〜図８を用いて説明する。図１に、本発明の実施形態に係る第１実施例の机上照明装置をデスク本体に設置した全体側面図を示す。図２に、図１に示す机上照明装置の正面図を示す。図３に、図２に示す机上照明装置の平面図を示す。図４に、図２に示す机上照明装置の側面図を示す。図５に、図４に示すＡ部詳細図を示す。図６に、図３に示すＢ部、Ｃ部の詳細図を示し、（Ａ）は、Ｂ部に表す回転ヒンジ部の分解図を示し、（Ｂ）は、Ｂ部に表す回転ヒンジ部の組立図を示し、（Ｃ）は、Ｃ部に表す回転ヒンジ部の組立図を示す。図７に、図３に示す机上照明装置の筒状体の正面図を示す。図８に、図７に示す筒状体の側面図を示す。
【００３０】
図１〜図３に示すように、本実施形態の第１実施例に係る机上照明装置１０は、デスク本体１（例えば、天板下方のフレーム部材１ｂ）に取り付け可能に立設した左右の支持フレーム体２１と、支持フレーム体２１の上端部２１Ｔに横設した上部フレーム体２２と、上部フレーム体２２の下方で支持フレーム体２１に横設した中間フレーム体２３とを備え、全体として略門型のフレーム構造体２を形成している。
【００３１】
また、本机上照明装置１０は、デスク本体１の机上面１ａを直接的に照明するタスク照明部３を中間フレーム体２３に設置し、天井Ｔ等の周辺部を照明するアンビエント照明部４を上部フレーム体２２に設置した。ここでは、タスク照明部３は、デスク本体１の前後位置に着座する作業者Ｍと対峙するように、前後対称で作業者側へ一定距離近づいた位置に各２つ設置され、アンビエント照明部４は、デスク本体１の前後方向中央部の上方位置に天井側に向けて１つ設置されている。ここで、デスク本体１には、デスクワークの他にミーティング等を含む各種用途に使用できる机、テーブル等が該当する。
【００３２】
また、タスク照明部３のスイッチ３Ｓは、各タスク照明部３毎に設け、アンビエント照明部４のスイッチ４Ｓは、既設の天井照明ＴＳのスイッチＴＳＳ近傍に一括して設けている。タスク照明部３のスイッチ３Ｓは、デスク本体１に着座した状態で作業者Ｍが簡単に操作でき、デスクワークに邪魔にならない場所、例えば、天板下方の足元付近等に設置されている。この場合、タスク照明部３のスイッチ３Ｓは、作業者Ｍが直接見にくいので、簡単に操作しやすいもの（例えば、タッチセンサ式のスイッチ）が好ましい。
【００３３】
このように、タスク照明部３のスイッチ３Ｓを、各タスク照明部３毎に設けたことによって、作業者Ｍが離席するとき、自己のタスク照明部３を簡単に消灯できる。また、天候や時刻等によってオフィスの照明環境が変化する場合においても、各個人の判断で自己のタスク照明部３を点灯又は消灯できる。一方で、一定の周辺領域で安定した明るさを確保する必要があるアンビエント照明部４については、その領域で天井照明ＴＳ等を含み一括して点灯又は消灯できるので、利便性が高く、省エネにも貢献できる。また、天井照明を追加する等の天井工事を不要として現場での工期短縮にも貢献できる。
【００３４】
したがって、一定の周辺領域で安定した明るさを確保しつつ、各個人のニーズに沿った照明環境を実現できる。また、デスク机等のフレキシブルなレイアウト変更が可能であって、既設の天井照明ＴＳから外れた位置でのデスクワークに対しても必要な照度を確保でき、オフィスにおけるフリーな作業環境等を実現することができる。
【００３５】
また、図１〜図５、図７、図８に示すように、本机上照明装置１０では、タスク照明部３の光源は、左右方向に延設された板状の有機ＥＬ照明板３１から拡散照射する面状拡散光源体３Ｋとし、アンビエント照明部４の光源は、半透明に形成された円弧状外周面４２１を有し左右方向に延設された筒状体４２の外周側設置部４２２に複数のＬＥＤチップ４１を左右方向に均等配置し、ＬＥＤチップ４１の照射光を円弧状外周面４２１から拡散照射する筒状拡散光源体４Ｋとした。円弧状外周面４２１には、光拡散機能を備える処理（例えば、光拡散シートを接着する等の処理）を施してもよい。
【００３６】
上記構成としたことによって、タスク照明部３とアンビエント照明部４のいずれにおいても、照明にムラや影が生じにくく、まぶしさ等のストレスを感じにくい。また、タスク照明部３の光源は、有機ＥＬ照明板３１から拡散照射する面状拡散光源体としたので、ブルーライトやＵＶ（紫外線）が少なく、目に対する安全性が高い。そのため、安全で目に優しく、長時間のデスクワークにおいても目の疲労感を感じにくい効果を奏する。また、アンビエント照明部４は、円弧状外周面４２１から放射状に拡散照射する拡散光が、上部フレーム体２２の上方における天井Ｔ等をムラなく照射することができる。そのため、天井Ｔ等からの反射光を利用して天井照明ＴＳから外れた位置でのデスクワークに対して必要な照度を確保する上で、より一層貢献できる。
【００３７】
また、図３、図７、図８に示すように、左右方向に延設された筒状体４２の外周側設置部４２２には、複数のＬＥＤチップ４１を左右方向に均等配置した基板４２３が装着されている。また、各ＬＥＤチップ４１の照射光は、筒状体４２の内部で反射、屈折を繰り返しながら、半透明に形成された円弧状外周面４２１から放射状に拡散照射する。その照射光は、円弧状外周面４２１の前後方向の周辺部より中央部付近から天井側へ向けて多く照射される。したがって、上部フレーム体の上方における天井面に向けて多く照射した反射光を効果的に利用して、天井照明から外れた位置でのデスクワークに対して必要な照度を確保できる。
【００３８】
また、図１、図３〜図５に示すように、筒状体４２は、前後に一対有し、それぞれ拡散光を照射する円弧状外周面４２１が互いに近接する方向に外周側設置部４２２を傾斜させて左右方向へ並列状に配置した。ここでは、左右方向に直列状に配置された２つの筒状体４２が前後に配置され、それらが外周側設置部４２２を傾斜させて左右方向へ並列状に配置されている。
【００３９】
上記構成に筒状体４２を設置するために、上部フレーム体２２には、支持フレーム体２１（２１１）の上端部２１Ｔに連結され左右方向へ所定の幅で延設された底板２２１と、底板２２１に対して前後に起立する縦板２２２と、底板２２１と縦板２２２とを連結し筒状体４２を設置する傾斜板２２３とを備えている。底板２２１に対する傾斜板２２３の傾斜角θは、筒状体４２の円弧状外周面４２１から照射される照射光の照度分布と、前後に配置した筒状体４２同士の離間距離と、筒状体４２から天井Ｔまでの離間距離とに応じて、上部フレーム体の上方における天井面に略均一な照度分布が形成されるように、最適な角度（例えば、２０〜４０度）を設定するのが好ましい。なお、縦板２２２の上端には、透明なカバー板４３が装着されている。
【００４０】
その結果、各円弧状外周面４２１から照射される拡散光は、上部フレーム体２２から上方へ向けて部分的に交差しつつ異なる方向へ照射される。そのため、上部フレーム体２２の上方に位置する天井面を異なる方向から照射される拡散光によって、周囲より明るくかつ略均一に照明できる。また、異なる方向から照射される天井面には、照明のムラや影が生じにくい。その結果、周囲より明るく照射される天井面からのムラや影のない目に優しい反射光によって、デスクワークに対して必要な照度を確保でき、デスク本体１のレイアウト変更における自由度をより一層高めることできる。また、目に優しい反射光によって、デスクワークに対して必要な照度を確保できるので、長時間のデスクワークにおいても目の疲労感をより一層低減させることができる。
【００４１】
また、図１〜図４に示すように、中間フレーム体２３には、前後、左右に隣接して着座する作業者Ｍに対して、各人のタスク照明部３を分離して操作できるように、１つの中間フレーム体２３の前後両側で、タスク照明部３が左右方向に直列状に設置されている。上記構成にタスク照明部３を設置するため、中間フレーム体２３には、左右の支持フレーム体２１に左右方向に延設された主フレーム体２３２と、主フレーム体２３２の前後方向に延設された複数の補助フレーム体２３１とを備えている。ここでは、補助フレーム体２３１は、主フレーム体２３２の左右方向の両端部と中央部に形成されている。また、主フレーム体２３２の左右方向の中央部には、デスク本体１に締結する取付板２１４から延設された下支持フレーム体２１３が連結されている。
【００４２】
また、図３、図６に示すように、タスク照明部３には、左右方向に延設した有機ＥＬ照明板３１を収容する矩形状の枠体３２を、前後対称な位置にそれぞれ複数個（ここでは、各２つ）備えている。この枠体３２は、左右方向に細長く形成され、直列状に配置されている。この枠体３２の下端（照明側）は、半透明なカバー体３７が装着されている。
【００４３】
また、図３、図４、図６に示すように、枠体３２の左右両端部３２ａ、３２ｂは、補助フレーム体２３１の前端部２３１ａ同士の間及び後端部２３１ｂ同士の間でそれぞれ上下方向に回転でき、回転した位置で静止可能に形成された回転ヒンジ部３３、３４とを介して連結されている。また、補助フレーム体２３１の前端部２３１ａ及び後端部２３１ｂには、一方（Ｂ部）の回転ヒンジ部３３と隣接して枠体３２の回転を所定の角度で停止させる止め部材３６が形成されている。
【００４４】
また、図６（Ａ）、図６（Ｂ）に示すように、一方（Ｂ部）の回転ヒンジ部３３は、例えば、一対のハット型断面の摺接部材３３２、３３３同士をボルト３３１、ナット３３４で締結し、締結面の摩擦力で静止させるように形成されている。また、図６（Ｃ）に示すように、他方（Ｃ部）の回転軸ヒンジ部３４には、円筒状に形成され、有機ＥＬ照明板３１への配線コード３５が軸方向に挿通されている。上記構成によって、タスク照明部３は、個人個人のワーク対象の近くで照明でき、各個人の姿勢やワーク対象に適合するように照射角度を簡単な操作で変更することができる。
【００４５】
また、図２、図４に示すように、支持フレーム体２１は、デスク本体１に取り付ける取付板２１４から中間フレーム体２３の主フレーム体２３２との連結部２１Ｎまで延設された下支持フレーム体２１２と、中間フレーム体２３の主フレーム体２３２との連結部２１Ｎから上部フレーム体２２との連結部２１Ｎまで延設された上支持フレーム体２１１とに分割され、それぞれの連結部２１Ｎで互いに分離可能に締結されている。
【００４６】
上記構成によって、上下の支持フレーム体２１１、２１２と上部フレーム体２２と中間フレーム体２３とを互いに分離して搬送し、現地で組み立てることができ、梱包・搬送の効率化に寄与できる。また、アンビエント照明部４から天井Ｔまでの距離に応じて上支持フレーム体２１１の長さを変更して、アンビエント照明部４の照明効率を最適な状態に調節することができる。この場合、下支持フレーム体２１２の長さは、そのまま維持できるので、タスク照明部３の照明に影響を与えない。
【００４７】
また、支持フレーム体２１（２１１、２１２）と中間フレーム体２３（２３１、２３２）とは、それぞれ同一断面の角パイプで形成され、各外表面が暗色系の艶消し塗装されている。そのため、タスク照明部３やアンビエント照明部４又は既設の天井照明ＴＳ等からの光が各フレーム体の外表面に反射して作業者Ｍの目に入るのを有効に回避でき、目の疲労感をより一層低減できる。また、作業者Ｍの各フレーム体等に対する違和感を低減して、デスクワークに意識を集中させることができる。なお、下支持フレーム体２１２、２１３には、対向する左右方向の外壁面に係止具２１５が上下２箇所ずつ設置されている。その係止具２１５には、必要に応じて、前後方向の視界を遮るセパレータ５を装着することができる。
【００４８】
（第２実施例）
次に、本実施形態に係る第２実施例の机上照明装置の構造及び動作方法を、図９〜図１２を用いて説明する。ここでは、主に第１実施例との相違点を中心に説明する。したがって、第１実施例との共通点は、同一の符号番号に第２実施例を示す記号「Ｂ」を付して、原則として説明を割愛する。図９に、本発明の実施形態に係る第２実施例の机上照明装置の正面図を示す。図１０に、図９に示す机上照明装置の平面図を示す。図１１に、図９に示す机上照明装置の側面図を示す。図１２に、本発明の実施形態に係る第１実施例の机上照明装置と第２実施例の机上照明装置をデスク本体に設置した全体正面図を示す。
【００４９】
図９〜図１２に示すように、本実施形態の第２実施例に係る机上照明装置１０Ｂは、デスク本体１（例えば、天板下方のフレーム部材１ｂ）に取り付け可能に立設した左右の支持フレーム体２１Ｂと、支持フレーム体２１Ｂの上端部２１ＴＢに横設した上部フレーム体２２Ｂと、上部フレーム体２２Ｂの下方で支持フレーム体２１Ｂに横設した中間フレーム体２３とを備え、全体として略門型のフレーム構造体２Ｂを形成している。
【００５０】
上記構成は、基本的に第１実施例と共通するが、支持フレーム体２１Ｂ同士の間隔が、上部フレーム体２２Ｂ及び中間フレーム体２３Ｂの左右方向の長さより若干短く形成されるとともに、第１実施例の支持フレーム体２１同士の間隔に比較して半分程度に形成されている点、および中間フレーム体２３Ｂにおける主フレーム体２３２Ｂの左右方向の中央部に支持フレーム体を設けていない点が、第１実施例と相違する。
【００５１】
また、本机上照明装置１０Ｂは、デスク本体１の机上面１ａを直接的に照明するタスク照明部３Ｂを中間フレーム体２３Ｂに設置し、天井Ｔ等の周辺部を照明するアンビエント照明部４Ｂを上部フレーム体２２Ｂに設置した。ここでは、タスク照明部３Ｂは、デスク本体１の前後位置に着座する作業者Ｍと対峙するように、前後対称で作業者側へ一定距離近づいた位置に各１つ設置され、アンビエント照明部４Ｂは、デスク本体１の前後方向中央部の上方位置に天井側に向けて１つ設置されている。なお、タスク照明部３Ｂを上下方向に回転可能とする回転ヒンジ部３３Ｂ、３４Ｂの構造は、第１実施例と共通する。
【００５２】
また、本机上照明装置１０Ｂでは、タスク照明部３Ｂの光源は、左右方向に延設された板状の有機ＥＬ照明板３１Ｂから拡散照射する面状拡散光源体３ＫＢとし、アンビエント照明部４Ｂの光源は、半透明に形成された円弧状外周面４２１Ｂを有し左右方向に延設された筒状体４２Ｂの外周側設置部４２２Ｂに複数のＬＥＤチップ４１Ｂを左右方向に均等配置し、ＬＥＤチップ４１Ｂの照射光を円弧状外周面４２１Ｂから放射状に拡散照射する筒状拡散光源体４ＫＢとした。
【００５３】
上記構成は、基本的に第１実施例と共通するが、第２実施例では、タスク照明部３Ｂを前後対称位置に１つずつ配置した点と、アンビエント照明部４Ｂの筒状体４２Ｂを前後対称位置に１つずつ配置した点とが、第１実施例と相違する。なお、図１２に示すように、オフィスのレイアウト、特にデスク本体１の長さに応じて、第１実施例と第２実施例とを組み合わせて設置するとよい。
【００５４】
（第３実施例）
次に、本実施形態に係る第３実施例の机上照明装置１０Ｃの構造及び動作方法を、図１３〜図１６を用いて説明する。ここでは、主に第１実施例との相違点を中心に説明する。したがって、第１実施例との共通点は、同一の符号番号に第３実施例を示す記号「Ｃ」を付して、原則として説明を割愛する。図１３に、本発明の実施形態に係る第３実施例の机上照明装置の正面図を示す。図１４に、図１３に示す机上照明装置の平面図を示す。図１５に、図１３に示す机上照明装置の側面図を示す。図１６に、図１５に示すＤ部詳細図を示す。
【００５５】
図１３〜図１５に示すように、デスク本体１に取り付け可能に立設した左右の支持フレーム体２１Ｃと、支持フレーム体２１Ｃの上端部に横設した上部フレーム体２２Ｃと、上部フレーム体２２Ｃの下方で支持フレーム体２１Ｃに横設した中間フレーム体２３Ｃとを備え、デスク本体１の机上面１ａを直接的に照明するタスク照明部３Ｃを中間フレーム体２３Ｃに設置し、天井等の周辺部を照明するアンビエント照明部４Ｃを上部フレーム体２２Ｃに設置した。また、タスク照明部３Ｃの光源は、左右方向に延設された板状の有機ＥＬ照明板３１Ｃから拡散照射する面状拡散光源体３ＫＣとした。また、タスク照明部３は、デスク本体１の前後位置に着座する作業者Ｍと対峙するように、前後対称で作業者側へ一定距離近づいた位置に各２つ設置され、アンビエント照明部４は、デスク本体１の前後方向中央部の上方位置に天井側に向けて１つ設置されている。
【００５６】
上記構成は、第１実施例と共通するが、アンビエント照明部４Ｃの光源は、左右方向に延設又は複数個配設された板状の有機ＥＬ照明板４３Ｃから拡散照射する面状拡散光源体４ＫＣとしたことが、第１実施例と相違する。上部フレーム体２２Ｃには、支持フレーム体２１Ｃの上端部に連結され左右方向へ所定の幅で延設された底板２２１Ｃと、底板２２１Ｃに対して前後に起立する縦板２２２Ｃとを備え、底板２２１Ｃに板状の有機ＥＬ照明板４３Ｃが左右方向に均等に設置されている。縦板２２２Ｃには、透明なカバー体４４Ｃが設置されている。そのため、タスク照明部３Ｃとアンビエント照明部４Ｃのいずれにおいても、照明にムラや影が生じにくく、まぶしさ等のストレスを感じにくい。また、タスク照明部３Ｃ及びアンビエント照明部４Ｃの光源は、有機ＥＬ照明板３１Ｃ、４３Ｃから拡散照射する面状拡散光源体３ＫＣ、４ＫＣとしたので、ブルーライトやＵＶ（紫外線）が少なく、目に対する安全性が高い。そのため、安全で目に優しく、長時間のデスクワークにおいても目の疲労感を感じにくい効果を奏する。
【００５７】
また、アンビエント照明部４Ｃの光源は、左右方向に延設又は複数個配設された板状の有機ＥＬ照明板４３Ｃから拡散照射する面状拡散光源体４ＫＣとしたことによって、第１実施例のＬＥＤ照射光よりも、柔らかい自然光に近い拡散光として上部フレーム体２２Ｃの上方の天井面を周囲より明るくかつ略均一に照明することができる。その結果、上部フレーム体２２Ｃの上方に位置する天井面からの略均一で明るく柔らかい反射光によって、デスクワークに対して必要な照度を確保でき、デスク本体１のレイアウト変更における自由度を高めることできる。
【００５８】
＜作用効果＞
また、本実施形態に係る机上照明装置１０、１０Ｂによれば、タスク照明部３、３Ｂの光源は、左右方向に延設された板状の有機ＥＬ照明板３１、３１Ｂから拡散照射する面状拡散光源体３Ｋ、３ＫＢとし、アンビエント照明部４、４Ｂの光源は、半透明に形成された円弧状外周面４２１、４２１Ｂを有し左右方向に延設された筒状体４２、４２Ｂの外周側設置部４２２、４２２Ｂに複数のＬＥＤチップ４１、４１Ｂを左右方向に均等配置し、ＬＥＤチップ４１、４１Ｂの照射光を円弧状外周面４２１、４２１Ｂから放射状に拡散照射する筒状拡散光源体４Ｋ、４ＫＢとしたので、タスク照明部３、３Ｂとアンビエント照明部４、４Ｂのいずれにおいても、照明にムラや影が生じにくく、まぶしさ等のストレスを感じにくい。また、タスク照明部３、３Ｂの光源は、有機ＥＬ照明板３１、３１Ｂから拡散照射する面状拡散光源体３Ｋ、３ＫＢとしたので、ブルーライトやＵＶ（紫外線）が少なく、目に対する安全性が高い。そのため、安全で目に優しく、長時間のデスクワークにおいても目の疲労感を感じにくい効果を奏する。
【００５９】
また、アンビエント照明部４、４Ｂの光源は、半透明に形成された円弧状外周面４２１、４２１Ｂを有し左右方向に延設された筒状体４２、４２Ｂの外周側設置部４２２、４２２Ｂに複数のＬＥＤチップ４１、４１Ｂを左右方向に均等配置し、ＬＥＤチップ４１、４１Ｂの照射光を円弧状外周面４２１、４２１Ｂから放射状に拡散照射する筒状拡散光源体４Ｋ、４ＫＢとしたので、円弧状外周面４２１、４２１Ｂから上方へ拡散照射する拡散光が、上部フレーム体２２、２２Ｂの上方における天井面をより多く照射し、その反射光を有効に活用できる。そのため、天井照明ＴＳから外れた位置でのデスクワークに対して必要な照度を確保する上で、より一層貢献できる。
【００６０】
よって、本実施形態によれば、デスク机等のフレキシブルなレイアウト変更が可能であって、既設の天井照明ＴＳから外れた位置でのデスクワークに対しても必要な照度を確保しつつ、安全で目に優しい光で照明できる机上照明装置１０、１０Ｂを提供することができる。
【００６１】
また、本実施形態によれば、筒状体４２、４２Ｂは、前後に一対有し、それぞれ拡散光を照射する円弧状外周面４２１、４２１Ｂが互いに近接する方向に外周側設置部４２２、４２２Ｂを傾斜させて左右方向へ並列状に配置したので、各円弧状外周面４２１、４２１Ｂから放射状に照射される拡散光は上部フレーム体２２、２２Ｂから上方へ向けて部分的に交差しつつ異なる方向へ照射される。そのため、上部フレーム体２２、２２Ｂの上方に位置する天井面を、異なる方向から照射される拡散光によって周囲より明るくかつ略均一に照明できる。また、異なる方向から照射される天井面には、照明のムラや影が生じにくい。その結果、周囲より明るく照射される天井面からのムラや影のない目に優しい反射光によって、デスクワークに対して必要な照度を確保でき、デスク本体１のレイアウト変更における自由度を高めることできる。また、目に優しい反射光によって、デスクワークに対して必要な照度を確保できるので、長時間のデスクワークにおいても目の疲労感をより一層感じにくい効果を奏する。
【００６２】
また、本実施形態によれば、タスク照明部３Ｃの光源は、左右方向に延設された板状の有機ＥＬ照明板３１Ｃから拡散照射する面状拡散光源体３ＫＣとし、アンビエント照明部４Ｃの光源は、左右方向に延設又は複数個配設された板状の有機ＥＬ照明板４３Ｃから拡散照射する面状拡散光源体４ＫＣとしたので、タスク照明部３Ｃとアンビエント照明部４Ｃのいずれにおいても、照明にムラや影が生じにくく、まぶしさ等のストレスを感じにくい。また、タスク照明部３Ｃ及びアンビエント照明部４Ｃの光源は、有機ＥＬ照明板３１Ｃ、４３Ｃから拡散照射する面状拡散光源体３ＫＣ、４ＫＣとしたので、ブルーライトやＵＶ（紫外線）が少なく、目に対する安全性が高い。そのため、安全で目に優しく、長時間のデスクワークにおいても目の疲労感を感じにくい効果を奏する。
【００６３】
また、アンビエント照明部４Ｃの光源は、左右方向に延設又は複数個配設された板状の有機ＥＬ照明板４３Ｃから拡散照射する面状拡散光源体４ＫＣとしたので、直進性の高いＬＥＤ照射光と違って、柔らかい自然光に近い拡散光として上部フレーム体２２Ｃの上方の天井面を周囲より明るくかつ略均一に照明することができる。その結果、上部フレーム体２２Ｃの上方に位置する天井面からの略均一で明るく柔らかい反射光によって、デスクワークに対して必要な照度を確保でき、デスク本体１のレイアウト変更における自由度を高めることできる。また、近年、有機ＥＬ照明の発光効率（Ｌｍ／Ｗ）は、ＬＥＤ照明と比較して同程度又はそれ以上の水準に向上しつつある。そのため、既設の天井照明ＴＳから外れた位置でのデスクワークに対して必要な照度を確保する上で、消費電力の節約に貢献することも可能である。
【００６４】
また、本実施形態によれば、タスク照明部３、３Ｂ、３Ｃには、有機ＥＬ照明板３１、３１Ｂ、３１Ｃを収容する矩形状の枠体３２、３２Ｂ、３２Ｃを備え、中間フレーム体２３、２３Ｂ、２３Ｃには、支持フレーム体２１、２１Ｂ、２１Ｃに左右方向に横設された主フレーム体２３２、２３２Ｂ、２３２Ｃと、主フレーム体２３２、２３２Ｂ、２３２Ｃの前後方向に延設された複数の補助フレーム体２３１、２３１Ｂ、２３１Ｃとを備え、タスク照明部３、３Ｂ、３Ｃの枠体３２、３２Ｂ、３２Ｃは、補助フレーム体２３１、２３１Ｂ、２３１Ｃの先端部同士の間に上下方向に回転でき、回転した位置で静止可能に形成された回転ヒンジ部３３、３３Ｂ、３３Ｃ、３４、３４Ｂ、３４Ｃを介して連結されたので、個人個人のワーク対象の近くで照明でき、各個人の姿勢やワーク対象に適合するようにタスク照明部３、３Ｂ、３Ｃの照射角度を簡単な操作で変更することができる。そのため、各個人ごとのワーク対象に対して必要な照度を確保しつつ、より一層安全で目に優しい光で照明できる。
【００６５】
また、本実施形態によれば、支持フレーム体２１、２１Ｂ、２１Ｃは、デスク本体１に取り付ける取付板２１４、２１４Ｂ、２１４Ｃから中間フレーム体２３、２３Ｂ、２３Ｃとの連結部まで延設された下支持フレーム体２１２、２１２Ｂ、２１２Ｃと、中間フレーム体２３との連結部から上部フレーム体２２、２２Ｂ、２２Ｃとの連結部まで延設された上支持フレーム体２１１、２１１Ｂ、２１１Ｃとに分割され、それぞれの連結部で互いに分離可能に締結されているので、上下の支持フレーム体２１、２１Ｂ、２１Ｃと上部フレーム体２２、２２Ｂ、２２Ｃと中間フレーム体２３、２３Ｂ、２３Ｃとを互いに分離して搬送し、現地で組み立てることができ、梱包・搬送の効率化に寄与できる。また、アンビエント照明部４、４Ｂ、４Ｃから天井までの距離に応じて上支持フレーム体２１１、２１１Ｂ、２１１Ｃの長さを変更して、アンビエント照明部４、４Ｂ、４Ｃの照明効率を最適な状態に調節することができる。この場合、下支持フレーム体２１２、２１２Ｂ、２１２Ｃの長さは、そのまま維持できるので、タスク照明部の照明に影響を与えない。
【００６６】
また、本実施形態によれば、タスク照明部３、３Ｂ、３Ｃのスイッチ３Ｓは、各タスク照明部３、３Ｂ、３Ｃ毎に設け、アンビエント照明部４、４Ｂ、４Ｃのスイッチ４Ｓは、既設の天井照明ＴＳのスイッチＴＳＳ近傍に一括して設けたので、天候や時刻等によってオフィスの照明環境が変化する場合においても、各個人の判断で自己のタスク照明部３、３Ｂ、３Ｃを点灯又は消灯できる。一方で、一定の周辺領域で安定した明るさを確保する必要があるアンビエント照明部４、４Ｂ、４Ｃについては、その領域で天井照明ＴＳを含み一括して点灯又は消灯できる。そのため、一定の周辺領域で安定した明るさを確保しつつ、各個人のニーズに沿った照明環境を実現できる。
【００６７】
また、本実施形態によれば、支持フレーム体２１、２１Ｂ、２１Ｃと中間フレーム体２３、２３Ｂ、２３Ｃとは、それぞれ同一断面の角パイプで形成され、各外表面が暗色系の艶消し塗装されているので、タスク照明部３、３Ｂ、３Ｃやアンビエント照明部４、４Ｂ、４Ｃ又は既設の天井照明ＴＳ等からの光が各フレーム体の外表面に反射して作業者の目に入るのを有効に回避でき、目の疲労感をより一層低減できる。また、作業者の各フレーム体等に対する違和感を低減して、デスクワークに意識を集中させることができる。
【産業上の利用可能性】
【００６８】
本発明は、デスク机等の机上面を直接的に照明するタスク照明部と当該タスク照明部の上方に位置して天井等の周辺部を照明するアンビエント照明部とを備えた机上照明装置として利用できる。
【符号の説明】
【００６９】
１                              デスク本体
１ａ                            机上面
２、２Ｂ、２Ｃ                  フレーム構造体
３、３Ｂ、３Ｃ                  タスク照明部
３Ｓ、４Ｓ                      スイッチ
３Ｋ、３ＫＢ、３ＫＣ            面状拡散光源体
４、４Ｂ、４Ｃ                  アンビエント照明部
４Ｋ、４ＫＢ                    筒状拡散光源体
４ＫＣ                          面状拡散光源体
１０、１０Ｂ、１０Ｃ            机上照明装置
２１、２１Ｂ、２１Ｃ            支持フレーム体
２２、２２Ｂ、２２Ｃ            上部フレーム体
２３、２３Ｂ、２３Ｃ            中間フレーム体
３１、３１Ｂ、３１Ｃ            有機ＥＬ照明板
３２、３２Ｂ、３２Ｃ            枠体
３３、３３Ｂ、３３Ｃ            回転ヒンジ部
３４、３４Ｂ、３４Ｃ            回転ヒンジ部
４１、４１Ｂ                    ＬＥＤチップ
４２、４２Ｂ                    筒状体
４３Ｃ                          有機ＥＬ照明板
２１１、２１１Ｂ、２１１Ｃ      上支持フレーム体
２１２、２１２Ｂ、２１２Ｃ      下支持フレーム体
２１４                          取付板
２３１、２３１Ｂ、２３１Ｃ      補助フレーム体
２３２、２３２Ｂ、２３２Ｃ      主フレーム体
４２１、４２１Ｂ                円弧状外周面
４２２、４２２Ｂ                外周側設置部
Ｔ                              天井
ＴＳ                            天井照明
ＴＳＳ                          スイッチ
【図１】
2020009681.tif 000003
【図２】
2020009681.tif 000004
【図３】
2020009681.tif 000005
【図４】
2020009681.tif 000006
【図５】
2020009681.tif 000007
【図６】
2020009681.tif 000008
【図７】
2020009681.tif 000009
【図８】
2020009681.tif 000010
【図９】
2020009681.tif 000011
【図１０】
2020009681.tif 000012
【図１１】
2020009681.tif 000013
【図１２】
2020009681.tif 000014
【図１３】
2020009681.tif 000015
【図１４】
2020009681.tif 000016
【図１５】
2020009681.tif 000017
【図１６】
2020009681.tif 000018
【図１７】
2020009681.tif 000019
【図１８】
2020009681.tif 000020
【図１９】
2020009681.tif 000021